(57)【要約】  【課題】  現場施工ではケラバ包み板支持金具の屋根板支持部材への取付け工程を省略でき、作業性の向上を図る。  【解決手段】  予め屋根板支持部材３に取付けられるケラバ包み板支持金具６が、取付部６１と、該取付部６１の上端から内方へ延設されて屋根板支持部材３との間に内方及び棟軒方向に開放する空隙部１０を形成するとともにケラバ包み板５の屋根板覆い部の内側を受止め支持する上面部６３とを備え、前記空隙部１０は折版屋根板４の山頂部４２及び接合端部４３の嵌め込みを許容する寸法に設定している。上面部６３には折版屋根板４の山頂部４２及び接合端部４３が空隙部１０から抜出るのを規制する係止爪６４を下向きに折曲げ可能に設けており、現場施工で係止爪６４を接合端部４３より内方側に延出するよう下向きに折り曲げ、ケラバ包み板５の屋根板覆い部を上面部６３に締結部材９で固定する。【選択図】      図１
2006045874.tif 000002
【特許請求の範囲】
【請求項１】
下地材の上に固定された屋根板支持部材に支持される折版屋根板の端の山頂部と該山頂部に起立した接合端部を、ケラバ包み板で覆い、前記ケラバ包み板の、前記山頂部及び接合端部を覆う屋根板覆い部が、前記屋根板支持部材に取付けられたケラバ包み板支持金具に締結部材で固定されているケラバ包み板の取付け構造において、
前記ケラバ包み板支持金具が、前記屋根板支持部材に取付けられる取付部と、該取付部の上端から内方へ延設されて前記屋根板支持部材との間に内方及び棟軒方向に開放する空隙部を形成するとともに前記ケラバ包み板の屋根板覆い部の内側を受止め支持する上面部とを備え、前記空隙部は前記山頂部及び接合端部の嵌め込みを許容する寸法に設定してあり、前記上面部の前記締結部材により固定される部位とは異なる箇所に、係止爪を下向きに折曲げ可能に設けており、この係止爪を前記接合端部より内方側に延出するよう下向きに折り曲げていることを特徴とする、ケラバ包み板の取付け構造。
【請求項２】
下地材の上に固定されて折版屋根板を支持する屋根板支持部材に取付けられてケラバ包み板を内側から支持するためのケラバ包み板支持金具であって、締結部材により前記屋根板支持部材に取付けられる取付部と、該取付部の上端から内方へ延設されて前記ケラバ包み板の屋根板覆い部の内側を受止め支持する上面部と、該上面部に下向きに折曲げ可能に設けられた係止爪とを備えていることを特徴とする、ケラバ包み板支持金具。
【請求項３】
前記ケラバ包み板支持金具が前記屋根板支持部材に屋根勾配に対応するよう締結部材で回動・固定可能に取付けられている、請求項２記載のケラバ包み板支持金具。
【請求項４】
前記係止爪の先端にリップを付けている、請求項２又は３記載のケラバ包み板支持金具。
【請求項５】
下地材の上に屋根板支持部材が固定され、該屋根板支持部材に支持される折版屋根板の端の山頂部と該山頂部に起立した接合端部を、ケラバ包み板で覆うケラバ包み板の取付け方法において、
前記屋根板支持部材に取付けられる取付部と、該取付部の上端から内方へ延設されて前記屋根板支持部材との間に内方及び棟軒方向に開放する空隙部を形成するとともに前記ケラバ包み板の屋根板覆い部の内側を受止め支持する上面部と、該上面部に折曲げ可能な係止爪とを備えるケラバ包み板支持金具を用意し、
前記ケラバ包み板支持金具は前記取付部を前記屋根板支持部材に予め取付けておき、この屋根板支持部材を前記下地材の上に固定し、
前記折版屋根板を葺くと同時に前記山頂部及び接合端部を前記ケラバ包み板支持金具の上面部と前記屋根板支持部材との間の前記空隙部に嵌め込み、
次いで、前記係止爪を前記接合端部より内方側に延出するよう下向きに折り曲げ、
次いで、ケラバ包み板で前記折版屋根板の前記山頂部及び接合端部を覆い、
次いで、前記ケラバ包み板の前記山頂部及び接合端部を覆う屋根板覆い部を、前記ケラバ包み板支持金具の上面部における前記係止爪とは異なる部位に締結部材で固定することを特徴とする、ケラバ包み板の取付け方法。
【発明の詳細な説明】
【技術分野】
【０００１】
本発明は、切妻屋根における折版屋根板の端を覆うケラバ包み板の取付け構造、ケラバ包み板支持金具、およびケラバ包み板の取付け方法に関する。
【背景技術】
【０００２】
従来、切妻屋根において折版屋根板の端をケラバ包み板で覆うに際し、ケラバ包み板の折版屋根板覆い側端部を折版屋根板と共にタイトフレームなど屋根板支持部材にセルフドリルビスで締結固定するというケラバ包み板の取付け構造がある。
しかし、このケラバ包み板の取付け構造では、折版屋根板にセルフドリルビスにより締結穴があけられるため、漏水等の恐れがあり、また温度変化による熱伸縮が異なる折版屋根板とケラバ包み板とを一緒にしてセルフドリルビスで締結固定しているため、経年において熱伸縮に伴いセルフドリルビスの通された折版屋根板の締結穴が大きく変形したり、セルフドリルビスの締付けが緩んだりして当該箇所に雨水が浸入する問題が生じる。
【０００３】
このような問題を解決するために、先に本出願人により図９に示すようなケラバ包み板の取付け構造を提案した（特許文献１参照。）。このケラバ包み板の取付け構造（前出の文献１では「ケラバ納め構造」という。）は、折版屋根板に締結穴をあけることなく、ケラバ包み板を支持できて雨仕舞を良好にするというものである。すなわち、ケラバ包み板支持金具３０を用意し、このケラバ包み板支持金具３０をタイトフレーム３１にボルト・ナット３２で締結固定し、ケラバ包み板３３の内側部３３１はケラバ包み板支持金具３０に締結部材３４で固定するというものである。そのケラバ包み板支持金具３０は、ボルト・ナット３２によってタイトフレーム３１に固定される取付部３０１と、その取付部３０１の内端から上方に立ち上がった外面部３０２と、その外面部３０２の上端から内方へ折曲された上面部３０３と、その上面部３０３の内端から下方へ折曲されてケラバ包み板３３の内側部３３１に固定される内面部３０４と、その内面部３０４の下端から外方へ折曲されて折版屋根板３５の山部３５１に形成されたくびれ部３５２に係止される係止部３０５により構成されている。
これによれば、ケラバ包み板３３の取付けに際し折版屋根板３５にセルフドリルビスなど締結部材で締結固定せず、折版屋根板３５に締結穴があけられないので、雨仕舞が良好となる。
【０００４】
【特許文献１】特開平０８−４２０７５号公報
【発明の開示】
【発明が解決しようとする課題】
【０００５】
しかるに、図９に示される上記ケラバ包み板の取付け構造では、折版屋根板３５の端がケラバ包み板３３とタイトフレーム３１との間から抜け出ないようにするために、折版屋根板３５の端の山部３５１の山頂部がケラバ包み板支持金具３０の係止部３０５とタイトフレーム３１との間で挟まれるようにしてある。そのため、ケラバ包み板３３の取付けに際しては、現場施工で、先ず、折版屋根板３５の端の山部３５１をタイトフレーム３１の上に重ね、しかる後、ケラバ包み板支持金具３０をタイトフレーム３１にボルト・ナット３２で締結固定し、最後にケラバ包み板３３をケラバ包み板支持金具３０の内面部３０４に締結部材３４で固定するという手順で作業が行われている。
しかしながら、現場でケラバ包み板支持金具３０を一個ずつタイトフレーム３１にボルト・ナット３２で締結固定する作業は厄介であり、ひとつの屋根葺きで使用されるケラバ包み板支持金具３０の個数は非常に多いため、作業能率低下の大きな原因になっていた。
【０００６】
本発明は、上記問題点を解決する為になされたものであり、その目的とするところは、上記のような、ケラバ包み板支持金具を使用するケラバ包み板の取付け構造において、ケラバ包み板支持金具に更に改良を加えることにより予め工場等でケラバ包み板支持金具をタイトフレームなど屋根板支持部材に取付けておくことを可能にし、もって現場施工ではケラバ包み板支持金具の屋根板支持部材への取付け工程を省略でき、作業性の向上を図れる、ケラバ包み板の取付け構造、ケラバ包み板支持金具、およびケラバ包み板の取付け方法を提供することにある。
【課題を解決するための手段】
【０００７】
上記目的を達成するために、本発明のケラバ包み板の取付け構造は、梁や二重葺屋根の下葺屋根など下地材の上に固定されたタイトフレームや断熱金具など屋根板支持部材に支持される折版屋根板の端の山頂部と該山頂部に起立した接合端部を、ケラバ包み板で覆い、前記ケラバ包み板の、前記山頂部及び接合端部を覆う屋根板覆い部が、前記屋根板支持部材に取付けられたケラバ包み板支持金具に締結部材で固定されているケラバ包み板の取付け構造において、前記ケラバ包み板支持金具が、前記屋根板支持部材に取付けられる取付部と、該取付部の上端から内方へ延設されて前記屋根板支持部材との間に内方及び棟軒方向に開放する空隙部を形成するとともに前記ケラバ包み板の屋根板覆い部の内側を受止め支持する上面部とを備え、前記空隙部は前記山頂部及び接合端部の嵌め込みを許容する寸法に設定してあり、前記上面部の前記締結部材により固定される部位とは異なる箇所に、係止爪を下向きに折曲げ可能に設けており、この係止爪を前記接合端部より内方側に延出するよう下向きに折り曲げていることに特徴を有するものである。
【０００８】
上記目的を達成するために、本発明のケラバ包み板支持金具は、下地材の上に固定されて折版屋根板を支持する屋根板支持部材に取付けられてケラバ包み板を内側から支持するためのケラバ包み板支持金具であって、締結部材により前記屋根板支持部材に取付けられる取付部と、該取付部の上端から内方へ延設されて前記ケラバ包み板の屋根板覆い部の内側を受止め支持する上面部と、該上面部に下向きに折曲げ可能に設けられた係止爪とを備えていることに特徴を有するものである。
この場合において、前記ケラバ包み板支持金具は前記屋根板支持部材に屋根勾配に対応するよう締結部材で回動・固定可能に取付けることができる。また、前記係止爪の先端にはリップを付けることができる。
【０００９】
上記目的を達成するために、本発明のケラバ包み板の取付け方法は、梁や二重葺屋根の下葺屋根など下地材の上にタイトフレームや断熱金具など屋根板支持部材が固定され、該屋根板支持部材に支持される折版屋根板の端の山頂部と該山頂部に起立した接合端部を、ケラバ包み板で覆うケラバ包み板の取付け方法において、前記屋根板支持部材に取付けられる取付部と、該取付部の上端から内方へ延設されて前記屋根板支持部材との間に内方及び棟軒方向に開放する空隙部を形成するとともに前記ケラバ包み板の屋根板覆い部の内側を受止め支持する上面部と、該上面部に折曲げ可能な係止爪とを備えるケラバ包み板支持金具を用意し、前記ケラバ包み板支持金具は前記取付部を前記屋根板支持部材に予め取付けておき、この屋根板支持部材を前記下地材の上に固定し、前記折版屋根板を葺くと同時に前記山頂部及び接合端部を前記ケラバ包み板支持金具の上面部と前記屋根板支持部材との間の前記空隙部に嵌め込み、次いで、前記係止爪を前記接合端部より内方側に延出するよう下向きに折り曲げ、次いで、ケラバ包み板で前記折版屋根板の前記山頂部及び接合端部を覆い、次いで、前記ケラバ包み板の前記山頂部及び接合端部を覆う屋根板覆い部を、前記ケラバ包み板支持金具の上面部における前記係止爪とは異なる部位に締結部材で固定することに特徴を有するものである。
【発明の効果】
【００１０】
本発明によれば、ケラバ包み板支持金具は、ケラバ包み板の屋根板覆い部の内側を受止め支持する上面部を、屋根板支持部材に取付けられる取付部の上端から内方へ延設して屋根板支持部材との間で空隙部を形成するよう設け、これの上面部に係止爪を下向きに折曲げ可能に設けているため、予め工場等でケラバ包み板支持金具を屋根板支持部材に取付けておいても、現場施工では折版屋根板の山頂部及び接合端部を前記空隙部に嵌め込むことができ、この嵌め込み後前記係止爪をハンマー等で叩いて下向きに折り曲げることにより折版屋根板の山頂部及び接合端部が前記空隙部から抜け出ないように納めることができる。したがって、予め工場等でケラバ包み板支持金具を屋根板支持部材に取付けておくことを可能にし、もって現場施工ではケラバ包み板支持金具の屋根板支持部材への取付け工程を省略でき、係止爪をハンマー等で叩いて折り曲げるだけの簡単な作業で足り、現場作業性を著しく向上できる。
【００１１】
尤も、ケラバ包み板の取付けに際し折版屋根板にセルフドリルビスなど締結部材で締結固定せず、折版屋根板に締結穴があけられないので、前述した従来のケラバ包み板の取付け構造の場合と同様に、雨仕舞が良好となる。
【発明を実施するための最良の形態】
【００１２】
本発明の好適な実施形態を図面に基づき説明する。図１は本発明の一実施例を示すケラバ包み板の取付け構造の断面図、図２は図１のケラバ包み板の取付け構造の要部拡大断面図、図３は図１のケラバ包み板の取付け構造に用いるケラバ包み板支持金具の斜視図である。
【００１３】
図１において、１は梁など下地材、２はサイディングなど外壁材、３は下地材１の上に溶接等により固定されたタイトフレームなど屋根板支持部材、４は切妻屋根の馳締めタイプの金属製の折版屋根板、５は折版屋根板４の端を覆う金属製のケラバ包み板、６はケラバ包み板５を屋根板支持部材３上で支持するケラバ包み板支持金具である。
【００１４】
上記折版屋根板４は棟軒方向に長い山部と谷部を交互に形成し、これの両端（図１では一端のみを示す。）の山部４１の山頂部４２に、隣接する折版屋根板４，４同士を馳締めにより接合するための接合端部（馳部）４３を起立させている。
【００１５】
上記ケラバ包み板５は、図１に示すように、その下端を外壁材２の上端部にセルフドリルビスなど締結部材７で固定される外側部５１と、その外側部５１の上端で折曲されて内方に延びる天板部５２と、その天板部５２の内端で折曲されて下方に延び、かつその下端５３ａが折版屋根板４に密接する内側部５３とを有する形に形成され、天板部５２及び内側部５３により屋根板覆い部を構成する。
【００１６】
ケラバ包み板５を支持するケラバ包み板支持金具６は、図２、図３に示すように、ボルト・ナットなど締結部材８によって屋根板支持部材３に回動・固定可能に取付けられるボルト孔６１ａ付き取付部６１と、その取付部６１の上端から一旦外方へ曲げられた後さらに上方へ曲げられて形成される外面部６２と、その外面部６２の上端で折曲されて内方に延びてケラバ包み板５の天板部５２の内側を受止め支持し該天板部５２にセルフドリルビスなど締結部材９で固定される上面部６３と、その上面部６３の内端に切欠部６３ａを設けることにより図３中、破線Ｐで示すように下向きに折曲げ可能に形成された係止爪６４とを有する形に形成されている。図３に例示するケラバ包み板支持金具６では補強リブ６５が設けられている。また係止爪６４が上面部６３の両端に２個設けられているが、図４（ａ）に示すように、そのいずれか１個だけ設けるものであってもよい。また、図４（ａ）に示すように、上面部６３の内端にリップ６３ｂを、また係止爪６４の先端にリップ６４ａをそれぞれ付けることもできる。なお、ケラバ包み板支持金具６としては、上記外面部６２は必ずしも必要とするものではなく、図４（ｂ）に示すように、取付部６１と、この取付部６１の上端から内方へ延びた上面部６３とを有する形に形成し、その上面部６３に係止爪６４を設けるものであってもよい。
【００１７】
このケラバ包み板支持金具６は、予め、工場等で屋根板支持部材３に取付部６１を締結部材８によって取付けておく。その際、ケラバ包み板支持金具６はケラバ包み板支持金具６の上面部６２と屋根板支持部材３の上端との間に内方及び棟軒方向に開放する空隙部１０を形成するよう取付けられる。その空隙部１０は折版屋根板４の山頂部４２及び接合端部４３の嵌め込みを許容する寸法に設定してある。
【００１８】
次に、ケラバ包み板５を取付ける施工要領について説明する。
【００１９】
予めケラバ包み板支持金具６を取付けてある屋根板支持部材３を下地材１の上に溶接やボルト等で固定し、かつ、外壁材２を建て込むとともに、屋根板支持部材３の上に折版屋根板４を載せる。その際、折版屋根板４の端の山頂部４２及び接合端部４３を、ケラバ包み板支持金具６の上面部６２と屋根板支持部材３の上端との間の空隙部１０に嵌め込む。この嵌め込み後、ハンマー等でケラバ包み板支持金具６の係止爪６４を叩いて下向きに折り曲げて該係止爪６４を接合端部４３より内方側に延出させる。これにより折版屋根板４の山頂部４２及び接合端部４３が空隙部１０から抜け出ようとしても接合端部４３が係止爪６４に係止されるためその抜け出しを防止できる納まり状態を得ることができる。
この場合、ケラバ包み板支持金具６が図４（ａ）のように係止爪６４にリップ６４ａを付けておくと、係止爪６４を補強できるとともに、そのリップ６４ａにより接合端部４３に対する係止作用を確実にしてその抜出し防止をより確実なものにすることができる。
【００２０】
かくして、ケラバ包み板５をケラバ包み板支持金具６の上に載せ、その外側部５１の下端部を、セルフドリルビスなど締結部材７で外壁材２の上端側又は下地材１に締結固定するとともに、その天板部５２を、ケラバ包み板支持金具６の上面部６３における係止爪６４より内方部位にセルフドリルビスなど締結部材９で締結固定することによりケラバ包み板５の取付けを完了する。かかる現場施工ではケラバ包み板支持金具６を屋根板支持部材３に取付ける作業が不要となり、係止爪６４をハンマー等で叩いて折り曲げるだけの簡単な作業で能率よく行える。なお、ケラバ包み板支持金具６は屋根板支持部材３に対し屋根勾配に対応すべく締結部材８回りに回動させ、所定角度で締結部材８を締付けることにより固定することができる。
【００２１】
図５、図６は他の実施例を示しており、この実施例は、馳締めタイプの下葺きの折版屋根板１１の上に、同じく馳締めタイプの上葺きの折版屋根板４を葺いた二重葺折板屋根に適用したものである。この実施例では、下葺きの折版屋根板１１が下地材１となり、その下葺きの折版屋根板１１の端の山頂部１１１から起立する接合端部１１２の上に上葺きの折版屋根板４の端の山頂部４２及び接合端部４３を支持する断熱金具１２が屋根板支持部材３となる。
【００２２】
その屋根板支持部材３を構成する断熱金具１２は、タイトフレーム１３で支持される下葺きの折版屋根板１１の端の山頂部１１１の上、及びタイトフレーム１３の上にそれぞれセルフドリルビスなど第１締結部材１４で固定される下端部同士間で下葺きの折版屋根板１１の接合端部１１２を挟持する一対の固定部材１２１，１２１と、その固定部材１２１，１２１の中間部同士を締付けるボルト・ナットなど第２締結部材１５と、その固定部材１２１，１２１の上端部同士間に挟持される樹脂製の断熱部材１２２，１２２と、その固定部材１２１，１２１の上端部同士を断熱部材１２２，１２２を挟んで締付けるボルト・ナットなど第３締結部材１６とを備える。この断熱金具１２は断熱部材１２２を備えることにより上葺きの折版屋根板４の熱が下葺きの折版屋根板１１に伝導するのを遮断する。
【００２３】
このような断熱金具１２からなる屋根板支持部材３にも、予め、上記実施例と同様なケラバ包み板支持金具６の取付部６１を断熱部材１２２間に挟持して第３締結部材１６で締結固定することにより取付けておくと、上記実施例の場合と同様にケラバ包み板５を現場施工で簡単に能率よく取付けることができる。
【００２４】
図７は、図５，図６に示す実施例の場合と同様に二重葺折板屋根に適用できる実施例であるが、この実施例では屋根板支持部材３として上記断熱金具１２に代えて、スライド型断熱金具１７を用いるものであり、そのほかの構成は図５に示す実施例のものと同様である。
スライド型断熱金具１７は、タイトフレーム１３で支持される下葺きの折版屋根板１１の端の山頂部１１１の上、およびタイトフレーム１３の上にそれぞれセルフドリルビスなど第１締結部材１８で固定され、下端部同士間で下葺きの折版屋根板１１の端の接合端部１１２を挟持する１対の固定部材１７１，１７１と、この固定部材１７１，１７１の上端部同士を締付けるボルト・ナットなど第２締結部材１９と、固定部材１７１，１７１の上端部同士間で挟持される断面Ｔ字形状の樹脂製の断熱部材１７２と、断熱部材１７２の上部に一体形成されたレール部１７２ａを挟持し、該レール部１７２ａに沿って棟軒方向に摺動自在な１対の摺動部材１７３，１７３と、この摺動部材１７３，１７３の上端部１７３ａ，１７３ａ間で挟持されるケラバ包み板支持金具６の取付部６１を締付け固定するボルト・ナット等による第３締結部材２０とを備える。
【００２５】
このようなスライド型断熱金具１７からなる屋根板支持部材３にも、予め、上記実施例の場合と同様なケラバ包み板支持金具６の取付部６１を、摺動部材１７３，１７３間に挟持して第３締結部材２０で締結固定することにより一体的に取付けておくと、上記実施例の場合と同様にケラバ包み板５を現場施工で簡単に能率よく取付けることができる。
また、屋根板支持部材３上で棟軒方向に摺動自在な摺動部材１７３に一体的に取付けたケラバ包み板支持金具６に、ケラバ包み板５を取付けておくと、温度変化によりケラバ包み板５が熱伸縮すると、ケラバ包み板５の伸縮に追随してケラバ包み板支持金具６及び摺動部材１７３が断熱部材１７２のレール部１７２ａ上を棟軒方向に摺動する。この摺動により、ケラバ包み板５に内部応力が発生し難く、音鳴りの発生を防止できる。
【００２６】
屋根板支持部材３としては、図１に示すごときタイトフレーム３や図６に示すごとき断熱金具１２、及び図７に示すごときスライド型断熱金具１７などの構造、形状に限られず、その他の各種形状のタイトフレーム、例えば図８に示すような独立タイプのタイトフレーム２１などにも同様に適用できる。
【図面の簡単な説明】
【００２７】
【図１】本発明の一実施例を示すケラバ包み板の取付け構造の断面図である。
【図２】図１のケラバ包み板の取付け構造の要部拡大断面図である。
【図３】図１のケラバ包み板の取付け構造に用いるケラバ包み板支持金具の斜視図である。
【図４】（ａ）はケラバ包み板支持金具の他の変形例を示す斜視図、（ｂ）はケラバ包み板支持金具の更に他の変形例を示す側面図である。
【図５】他の実施例のケラバ包み板の取付け構造を図１に対応して示す断面図である。
【図６】図５のケラバ包み板の取付け構造に用いるケラバ包み板支持金具を取付けた屋根板支持部材の正面図である。
【図７】屋根板支持部材の更に他の実施例を図６に対応して示す正面図である。
【図８】屋根板支持部材の更に又、他の実施例を図６に対応して示す正面図である。
【図９】従来例のケラバ包み板の取付け構造の断面図である。
【符号の説明】
【００２８】
１  下地材
３  屋根板支持部材
４  折版屋根板
４１  山部
４２  山頂部
４３  接合端部
５  ケラバ包み板
６  ケラバ包み板支持金具
６１  取付部
６２  外面部
６３  上面部
６４  係止爪
６４ａ  リップ
９  締結部材
１０  空隙
【図１】
2006045874.tif 000003
【図２】
2006045874.tif 000004
【図３】
2006045874.tif 000005
【図４】
2006045874.tif 000006
【図５】
2006045874.tif 000007
【図６】
2006045874.tif 000008
【図７】
2006045874.tif 000009
【図８】
2006045874.tif 000010
【図９】
2006045874.tif 000011